(57)【要約】【課題】反りを抑制できるとともに軽量な建具を提供する。【解決手段】枠体３の縦框５を、建具１の幅方向に重ねられた複数の木質の縦框材５ａ，５ｂと、該縦框材５ａ，５の間に挟まれ、金属製でかつ長さが縦框材と等しい薄板状の補強プレート７とを備えた構成とする。そして建具１がその面外方向に反ろうとすると、その力を、縦框５内の補強プレート７が抑制する。補強プレート７は、薄板状であるので軽量であり、これを挟む縦框材５ａ，５ｂは木質であるので、建具１も軽量なものとなる。【選択図】図２
2007016546.tif 000002
【特許請求の範囲】
【請求項１】
木質の縦框と木質の横框とを矩形枠状に組み立ててなる枠体の両面に、それぞれ面材が取り付けられてなる建具において
前記縦框は、建具の幅方向に重ねられた複数の木質の縦框材と、該縦框材の間に挟まれ、金属製でかつ長さが前記縦框材と等しい薄板状の補強プレートとを備えていることを特徴とする建具。
【請求項２】
請求項１に記載の建具において、
前記補強プレートの幅は、前記縦框材の幅とほぼ等しいかそれ以下であることを特徴とする建具。
【請求項３】
請求項１または２に記載の建具において、
前記横框の端面は、前記縦框材の端部側面に突き当てられており、
前記補強プレートの端部は、該端部から前記縦框材を通して横框材まで止着材を打ち込むことによって、前記縦框材に固定されていることを特徴とする建具。
【請求項４】
請求項３に記載の建具において、
重ねられている前記縦框材どうしは、それらの端部の側端面にステープルを打ち込むことによって仮固定され、
この仮固定された縦框材どうしは、それらの端部の側端面に前記面材が接着剤によって貼り付けられることによって、接合固定されていることを特徴とする特徴とする建具。
【請求項５】
請求項４に記載の建具を製造する製造方法において、
まず、第１の縦框材の端部の内側を向く側面に横框の端面を突き当てるとともに、補強プレートを第１の縦框材の外側を向く側面に平行に配置した後、前記補強プレートの端部から前記縦框材を通して横框材まで止着材を打ち込み、
次に、第２の縦框材を前記補強プレートを挟んで、前記第１の縦框材の外側を向く側面に平行に配置した後、これら第１および第２の縦框材どうしを、それらの端部の側端面にステープルを打ち込むことによって仮固定し、
次に、仮固定された縦框材と横框とによって形成された枠体の両面にそれぞれ接着剤によって面材を貼り付けることを特徴とする建具の製造方法。
【発明の詳細な説明】
【技術分野】
【０００１】
本発明は、建具および建具の製造方法に関する。
【背景技術】
【０００２】
従来から、住宅内部の開口部に用いられる建具としては、木質材からなる骨組みの表裏面に、化粧シートや突き板で装飾した木質化粧パネルを接着したり、或いは集成材や合板、木材等の表面に化粧シートや突き板、又は塗装等により装飾した木質化粧材で框組みし、その中央に木質化粧材やガラス等の鏡板を嵌め込んで組み立てたりしたものがよく知られている。
しかしながら、上記木製の建具においては、反り変形が生じ易く、特に背の高い建具の場合には反りの影響が大きくなって、開閉し難くなるという問題があった。
【０００３】
そこで、特許文献１に記載のように、建具の框を金属製成形体で構成して、木質の建具より反りを抑えたものが知られている。このような建具によると、従来の木製建具に比べて反り変形の発生が少なく、例えば２ｍを超えるような背の高い建具にも対応することができる。
【特許文献１】特開２００３−４１８６５号公報
【発明の開示】
【発明が解決しようとする課題】
【０００４】
しかし、特許文献１に記載の建具では、框を金属製成形体で構成しているので、重量が大きくなってしまうともに高価になる。一方、軽量化するために框を木質の材料で構成すると、上述しやように、反り変形が生じ易くなる。
【０００５】
本発明は上記事情に鑑みてなされたもので、反りを抑制できるとともに軽量な建具を提供することを課題としている。
【課題を解決するための手段】
【０００６】
上記課題を解決するために、請求項１に記載の発明は、例えば図１〜図３に示すように、木質の縦框５と木質の横框５とを矩形枠状に組み立ててなる枠体３の両面に、それぞれ面材４が取り付けられてなる建具において、
前記縦框５は、建具の幅方向に重ねられた複数の木質の縦框材５ａ，５ｂと、該縦框材５ａ，５の間に挟まれ、金属製でかつ長さが前記縦框材５ａ，５ｂと等しい薄板状の補強プレート７とを備えていることを特徴とする。
【０００７】
請求項１に記載の発明によれば、縦框５が、建具の幅方向に重ねられた複数の木質の縦框材５ａ，５ｂと、該縦框材５ａ，５ｂの間に挟まれ、金属製でかつ長さが前記縦框材５ａ，５ｂと等しい薄板状の補強プレート７とを備えているので、建具１がその面外方向に反ろうとすると、その力を、縦框５内の補強プレート７が抑制する。
補強プレート７は縦框材５ａ，５ｂより十分に薄いが、その幅方向を建具１の厚さ方向に向けているので、建具１がその面外方向に反ろうとする力に対して十分に抵抗して、該反り変形を抑制できる。また、補強プレート７は、薄板状であるので軽量であり、これを挟む縦框材５ａ，５ｂは木質であるので、建具も軽量なものとなる。
【０００８】
請求項２に記載の発明は、請求項１に記載の建具において、
前記補強プレート７の幅は、前記縦框材５ａ，５ｂの幅とほぼ等しいかそれ以下であることを特徴とする。
【０００９】
請求項２に記載の発明によれば、補強プレート７の幅が、縦框材５ａ，５ｂの幅とほぼ等しいかそれ以下であるので、補強プレート７を縦框材５ａ，５ｂの幅内に収めることができる、つまり補強プレート７の幅方向の縁部が縦框５からその幅方向に突出するのを防止できる。よって、縦框５の側面に面材４を確実に接着剤によって固定できる。
【００１０】
請求項３に記載の発明は、請求項１または２に記載の建具において、
前記横框６の端面は、前記縦框材５ａの端部側面に突き当てられており、
前記補強プレート７の端部は、該端部から前記縦框材５ａを通して横框材６まで止着材を打ち込むことによって、前記縦框材５ａに固定されていることを特徴とする。
【００１１】
請求項３に記載の発明によれば、補強プレート７の端部が、該端部から前記縦框材５ａを通して横框材６まで止着材８を打ち込むことによって、前記縦框材５ａに固定されているので、補強プレート７の固定と、縦框材５ａの横框材６に対する固定を、止着材８によって同時に行うことができる。
【００１２】
請求項４に記載の発明は、請求項３に記載の建具において、
重ねられている前記縦框材５ａ，５ｂどうしは、それらの端部の側端面にステープル９を打ち込むことによって仮固定され、
この仮固定された縦框材５ａ，５ｂどうしは、それらの端部の側端面に前記面材４，４が接着剤によって貼り付けられることによって、接合固定されていることを特徴とする。
【００１３】
請求項４に記載の発明によれば、重ねられている前記縦框材５ａ，５ｂどうしが、それらの端部の側端面にステープル９を打ち込むことによって仮固定されているので、縦框材５ａ，５ｂどうしの間に補強プレート７が挟まれていても、縦框材５ａ，５ｂどうしを確実に仮固定でき、この仮固定された縦框材５ａ，５ｂどうしは、それらの端部の側端面に前記面材４，４が接着剤によって貼り付けられることによって、接合固定されているので、縦框材５ａ，５ｂどうしを確実に強固に接合固定できる。
【００１４】
請求項５に記載の発明は、例えば図４に示すように、請求項４に記載の建具を製造する製造方法において、
まず、第１の縦框材５ａの端部の内側を向く側面に横框６の端面を突き当てるとともに、補強プレート７を第１の縦框材５ａの外側を向く側面に平行に配置した後、前記補強プレート７の端部から前記縦框材５ａを通して横框材６まで止着材８を打ち込み、
次に、第２の縦框材５ｂを前記補強プレート７を挟んで、前記第１の縦框材５ａの外側を向く側面に平行に配置した後、これら第１および第２の縦框材５ａ，５ｂどうしを、それらの端部の側端面にステープル９を打ち込むことによって仮固定し、
次に、仮固定された縦框材５ａ，５ｂと横框とによって形成された枠体３の両面にそれぞれ接着剤によって面材４，４を貼り付けることを特徴とする。
【００１５】
請求項５に記載の発明によれば、第１の縦框材５ａの端部の内側を向く側面に横框６の端面を突き当てたるとともに、補強プレート７を第１の縦框材５ａの外側を向く側面に平行に配置した後、前記補強プレート７の端部から前記縦框材５ａを通して横框材６まで止着材８を打ち込むことによって、外側を向く側面に補強プレート７が取り付けられた第１の框材５ａと、横框６とからなる枠体を形成できる。
次に、第２の縦框材５ｂを前記補強プレート７を挟んで、前記第１の縦框材５ａの外側を向く側面に平行に配置した後、これら第１および第２の縦框材５ａ，５ｂどうしを、それらの端部の側端面にステープル９を打ち込むことによって仮固定することによって、内部に補強プレート７を備えた木質の縦框５と木質の横框６とを矩形枠状に組み立ててなる枠体３を形成できる。
次に、仮固定された縦框材５ａ，５ｂと横框とによって形成された枠体３の両面にそれぞれ接着剤によって面材４，４を貼り付けることによって建具を形成できる。
このように、補強プレート７、第１および第２の縦框材５ａ，５ｂ、面材４，４によって、本発明に係る建具１を容易に製造できる。
【発明の効果】
【００１６】
本発明によれば、縦框が、建具の幅方向に重ねられた複数の木質の縦框材と、該縦框材の間に挟まれ、金属製でかつ長さが前記縦框材と等しい薄板状の補強プレートとを備えているので、建具がその面外方向に反ろうとすると、その力を、框内の補強プレートが抑制できる。また、補強プレートは、薄板状であるので軽量であり、これを挟む縦框材は木質であるので、建具も軽量なものとなる。
また、補強プレート、第１および第２の縦框材、面材によって、本発明に係る建具を容易に製造できる
【発明を実施するための最良の形態】
【００１７】
以下、図面を参照して、本発明に係る建具の実施の形態を説明する。
図１は本発明に係る建具の一例を示す斜視図、図２は該建具の分解斜視図である。この建具１は引戸１であり、その表面には取手２が凹設されている。
建具１は、枠体３と、この枠体３の両面にそれぞれ取り付けられた面材４，４とによって構成されている。
【００１８】
枠体３は木質の縦框５と木質の横框６とを矩形枠状に組み立てることによって形成されている。なお、縦框５と横框６との接合部は縦框勝ちとなっている、つまり縦框５の上端部側面に、横框６の端面を突き当てて接合している。
縦框５は、建具１の幅方向に重ねられた２本の木質の縦框材５ａ，５ｂと、該縦框材５ａ，５ｂの間に挟まれた補強プレート７とを備えている。補強プレート７は、薄板状の鉄板で形成されたもので、その長さは縦框材５ａ，５ｂと等しくなっている。また、補強プレート７の幅は、縦框材５ａ，５ｂの幅とほぼ等しくなっている。なお、補強プレート７の厚さは約１ｍｍ程度である。
【００１９】
また、前記横框６の端面は、縦框材５ａの端部側面に突き当てられており、補強プレート７の端部は、該端部から前記縦框材５ａを通して横框材６まで釘等の止着材８を打ち込むことによって、縦框材５ａに固定されている。
さらに、重ねられている縦框材５ａ，５ｂどうしは、それらの端部の側端面にステープル９を打ち込むことによって仮固定されており、この仮固定された縦框材５ａ，５ｂどうしは、それらの端部の側端面に面材４，４が接着剤によって貼り付けられることによって、接合固定されている。
【００２０】
次に上記構成の建具１を製造する方法について図４を参照して説明する。
まず、図４（ａ）、（ｂ）に示すように、第１の縦框材５ａの端部の内側を向く側面に横框６の端面を突き当てるとともに、補強プレート７を第１の縦框材５ａの外側を向く側面に平行に配置した後、補強プレート７の端部から前記縦框材５ａを通して横框材６まで止着材８・・・を打ち込む。これによって、外側を向く側面に補強プレート７が取り付けられた第１の框材５ａと、横框６とからなる枠体を形成できる。
【００２１】
次に、図４（ｃ）に示すように、第２の縦框材５ｂを前記補強プレート７を挟んで、前記第１の縦框材５ａの外側を向く側面に平行に配置した後、これら第１および第２の縦框材５ａ，５ｂどうしを、それらの端部の側端面にステープル９・・・を打ち込むことによって仮固定する。これによって、内部に補強プレート７を備えた木質の縦框５と木質の横框６とを矩形枠状に組み立ててなる枠体３を形成できる。
なお、図４（ａ）〜（ｃ）までの工程では、縦框５と横框６の接合部が建具１の４つの角部にあるので、これら４つの角部において同様に行う。
【００２２】
次に、図４（ｄ）に示すように、仮固定された縦框材５の両側端面および横框６の両側面、つまり枠体３の両面にそれぞれ接着剤によって面材４，４を貼り付ける。これによって、建具１を形成できる。
このように、補強プレート７、第１および第２の縦框材５ａ，５ｂ、面材４，４によって、建具１を容易に製造できる。
なお、取手２は予め面材４，４に形成しておいてもよいし、枠体３に面材４，４を取り付けた後形成してもよい。
【００２３】
本実施の形態の建具１によれば、縦框５が、建具１の幅方向に重ねられた２本の木質の縦框材５ａ，５ｂと、該縦框材５ａ，５ｂの間に挟まれた薄板状の鉄板製の補強プレート７とを備えているので、建具１がその面外方向に反ろうとすると、その力を、縦框５内の補強プレート７が抑制する。補強プレート７は縦框材５ａ，５ｂより十分に薄いが、その幅方向を建具１の厚さ方向に向けているので、建具１がその面外方向に反ろうとする力に対して十分に抵抗して、該反り変形を抑制できる。
また、補強プレート７は、１ｍｍ程度の薄板状であるので軽量であり、これを挟む縦框材５ａ，５ｂは木質であるので、建具１も軽量なものとなる。
【００２４】
さらに、補強プレート７の幅が、縦框材５ａ，５ｂの幅とほぼ等しいので、補強プレート７を縦框材５ａ，５ａの幅内に収めることができる、つまり補強プレート７の幅方向の縁部が縦框５からその幅方向に突出するのを防止できる。よって、縦框５の側面に面材４，４を確実に接着剤によって固定できる。
また、補強プレート７の端部が、該端部から縦框材５ａを通して横框材６まで止着材８を打ち込むことによって、縦框材５ａに固定されているので、補強プレート７の固定と、縦框材５ａの横框材６に対する固定を、止着材８によって同時に行うことができる。
加えて、重ねられている縦框材５ａ，５ｂどうしが、それらの端部の側端面にステープル９を打ち込むことによって仮固定されているので、縦框材５ａ，５ｂどうしの間に補強プレート７が挟まれていても、縦框材５ａ，５ａどうしを確実に仮固定できる。そして、この仮固定された縦框材５ａ，５ａどうしは、それらの端部の側端面に面材４，４が接着剤によって貼り付けられることによって、接合固定されているので、縦框材５ａ，５ｂどうしを確実に強固に接合固定できる。
【００２５】
なお、本実施の形態では、縦框５が２本の縦框材５ａ，５ｂを備える構成としたが、縦框を、３本以上の縦框材で構成してもよい。その場合、縦框材どうしの複数の接合面にそれぞれ補強プレートを設けることによって、建具１の反り変形をより確実に抑制できる。
また、本実施の形態では、縦框５の縦框材５ａ，５ｂや横框６をムクの木質の角材で形成したが、これに限ることなく、ＬＶＬ（単板積層材）や集成材等によって形成してもよい。
【図面の簡単な説明】
【００２６】
【図１】本発明に係る建具の一例を示すもので、建具の斜視図である。
【図２】同、建具の分解斜視図である。
【図３】同、建具の縦框と横框との接合部を示す断面図である。
【図４】本発明に係る建具の製造方法の一例を説明する工程図である。
【符号の説明】
【００２７】
１  建具
３  枠体
４  面材
５  縦框
５ａ，５ｂ  縦框材
６  横框
７  補強プレート
８  止着材
９  ステープル
【図１】
2007016546.tif 000003
【図２】
2007016546.tif 000004
【図３】
2007016546.tif 000005
【図４】
2007016546.tif 000006